(57)【要約】【課題】第１の表示部である液晶セルからその裏面に配置した第２の表示部が透けて見える液晶表示装置において、第１の表示部の表示が面内で均一となるものを提供する。【解決手段】液晶セル１２の表面側から回転リール１６が透けて見え、制御回路６６は点順次表示法により画像を表示し、回転リール１６が透けて見える透過範囲において前記画像を表示する時に対向電圧回路６８は、対向電圧を変化させて透過範囲の表示輝度を上昇させる。【選択図】      図１
2007079020.tif 000002
【特許請求の範囲】
【請求項１】
第１の表示部である液晶セルと、前記液晶セルの裏面側に配されたバックライトとを有し、前記液晶セルの表面側から前記バックライトの裏面に配される第２の表示部が透けて見える液晶表示装置において、
前記液晶セルは、点順次表示法によって画像を表示し、  前記第２の表示部が透けて見える透過範囲において前記画像を表示するときに前記液晶セルの対向電極基板に印加される対向電圧を変化させて前記透過範囲の表示輝度を上昇させる
ことを特徴とする液晶表示装置。
【請求項２】
第１の表示部である液晶セルと、前記液晶セルの裏面側に配されたバックライトとを有し、前記液晶セルの表面側から前記バックライトの裏面側に配される第２の表示部が透けて見える液晶表示装置において、
前記第２の表示部が透けて見える透過範囲において前記液晶セルに画像を表示するときに画像信号のガンマ補正を行い前記透過範囲の表示輝度を上昇させる
ことを特徴とする液晶表示装置。
【請求項３】
前記画像信号は、前記ガンマ補正を行った後に前記液晶セルの信号線駆動回路に入力されるか、または、前記信号線駆動回路から出力された後に前記ガンマ補正がなされる
ことを特徴とする請求項２記載の液晶表示装置。
【請求項４】
前記バックライトの導光板には、前記第２の表示部に対応する位置に透過開口部が貫通している
ことを特徴とする請求項１から３の中で少なくとも一項に記載の液晶表示装置。
【請求項５】
前記バックライトの導光板の裏面には、前記第２の表示部に対応する位置に透過凹部が設けられた
ことを特徴とする請求項１から３の中で少なくとも一項に記載の液晶表示装置。
【請求項６】
前記バックライトの導光板の裏面には、前記第２の表示部に対応する位置にのみ反射板が設けられていない
ことを特徴とする請求項１から３の中で少なくとも一項に記載の液晶表示装置。
【請求項７】
前記第２の表示部が、前記第１の表示部の中央部に配された
ことを特徴とする請求項１から３の中で少なくとも一項に記載の液晶表示装置。
【請求項８】
前記第２の表示部が、スロット遊技機における機械式回転リールである
ことを特徴とする請求項１から７の中で少なくとも一項に記載の液晶表示装置。
【発明の詳細な説明】
【技術分野】
【０００１】
本発明は、スロット遊技機などに使用される液晶表示装置に関するものである。
【背景技術】
【０００２】
最近、パチンコ店などにおいて、遊技玉が所定の位置に入球することにより、盤面に設けられた画像表示装置上でスロットマシンに類似するゲームが展開されるスロット遊技機が流行している。
【０００３】
このようなスロット遊技機における画像表示装置として、液晶表示装置が用いられ、この液晶表示装置の一部に光を透過する透過部分が設けられ、この透過部分にスロットゲームを表示するための機械式の回転リールが取り付けられ、液晶表示装置の表面から見ると、液晶セルに表示された内容と回転リールで表示された数字が同時に表示する構造のものが提案されている（例えば、特許文献１及び特許文献２参照）。
【０００４】
上記のような従来の液晶表示装置の構造を図６及び図７に基づいて説明する。
【０００５】
図６は、液晶表示装置１００の縦断面図であり、図７は平面図である。
【０００６】
液晶表示装置１００は、液晶セル１０２とバックライト１０４とを積み重ねたものであり、液晶セル１０２とバックライト１０４とは、金属製のベゼルカバー１０６に収納されている。バックライト１０４の裏面側には機械式の回転リール１０８が配されている。
【０００７】
バックライト１０４は、導光板１１０と、この導光板１１０の両側部に配された直管状のランプ１１２と、ランプ１１２と導光板１１０とを覆う反射板１１４とより構成されている。
【０００８】
導光板１１０の中央部には、貫通した透過開口部１１６が設けられ、この透過開口部１１６に対応する位置に回転リール１０８が配されている。
【０００９】
この液晶表示装置１００であると、ランプ１１２の光は導光板１１０を介して液晶セル１０２の裏面側から入射し、液晶セル１０２に表示されている画像を照明する。回転式リール１０８は、透過開口部１１６を通して液晶セル１０２の表示面側から見ることができる。
【特許文献１】特開２００４−０８７０５公報
【特許文献２】特開２００４−５７４１９公報
【発明の開示】
【発明が解決しようとする課題】
【００１０】
しかしながら、上記の液晶表示装置１００においては、次のような問題点がある。すなわち、導光板１１０の中央部に透過開口部１１６が貫通しているため、液晶セル１０２上の画像を表面側から見た場合に、この透過開口部１１６の部分において、ランプ１１２からの光が届かず、他の部分よりも薄暗く見えるという問題点がある。すなわち、図７のクロスハッチの透過範囲で示すように、透過開口部１１６の位置には回転リール１０８が見えるが、この表示が暗くなるという問題点がある。
【００１１】
そこで、本発明は上記問題点に鑑み、第１の表示部である液晶セルからその裏面に配置された第２の表示部が透けて見える液晶表示装置において、第１の表示部の表示が面内で均一となる液晶表示装置を提供する。
【課題を解決するための手段】
【００１２】
請求項１に係る発明は、第１の表示部である液晶セルと、前記液晶セルの裏面側に配されたバックライトとを有し、前記液晶セルの表面側から第２の表示部が透けて見える液晶表示装置において、前記液晶セルは、点順次表示法によって画像を表示し、  前記第２の表示部が透けて見える透過範囲において前記画像を表示するときに前記液晶セルの対向電極基板に印加される対向電圧を変化させて前記透過範囲の表示輝度を上昇させることを特徴とする液晶表示装置である。
【００１３】
請求項２に係る発明は、第１の表示部である液晶セルと、前記液晶セルの裏面側に配されたバックライトとを有し、前記液晶セルの表面側から第２の表示部が透けて見える液晶表示装置において、前記第２の表示部が透けて見える透過範囲において前記液晶セルに画像を表示するときに画像信号のガンマ補正を行い前記透過範囲の表示輝度を上昇させることを特徴とする液晶表示装置である。
【発明の効果】
【００１４】
本発明によれば、第１の表示部である液晶セルからその裏面に配置された第２の表示部が透けて見える液晶表示装置において、第１の表示部の表示が面内で均一とすることができる。
【発明を実施するための最良の形態】
【００１５】
以下、本発明の液晶表示装置１０の各実施形態について、図面に基づいて説明する。
【００１６】
（第１の実施形態）
図１〜図３に基づいて第１の実施形態の液晶表示装置１０ついて説明する。この液晶表示装置１０は、一例としてスロット遊技機における画像表示装置として使用されるものである。
【００１７】
（１）液晶表示装置１０の構造
まず、液晶表示装置１０の構造について図１と図２に基づいて説明する。図１は、液晶表示装置１０の縦断面図であり、図２は平面図である。
【００１８】
液晶表示装置１０は、液晶セル１２とバックライト１４とよりなり、液晶セル１２とバックライト１４とは、金属製の額縁状のベゼルカバー１８に収納されている。液晶セル１２による画像表示を第１の表示部とし、この液晶表示装置１０は、その裏面に配置される第２表示部の画像を、液晶表示装置の表示面側から視認可能な構造をとる。ここでは、第２表示部は機械式の回転リール１６を指す。
【００１９】
液晶セル１２は、アクティブマトリックス型の液晶セルであって、ここでは１５インチのサイズである。
【００２０】
液晶セル１２の裏面側に配されたバックライト１４は、導光板２０と、一対の直管状の冷陰極管からなるランプ２２と、金属製の反射板２４と、光学シート２６とより構成されている。
【００２１】
導光板２０は、平面形状が矩形であり、ほぼ中央に平面形状が矩形の透過部２８が設けられている。この透過部２８が設けられている位置は回転リール１６が配されている位置に相当し、大きさもこの回転リール１６よりも若干大きい程度に構成されている。透過部２８は、導光板２０の裏面に形成された凹状体であり、その深さは、導光板２０の５０％〜９０％、好ましくは６０％〜８０％の深さであり、透過部２８の四周壁は、外方ほど外側に拡がる傾斜面３０となっている。この傾斜角は、図１におけるθ＝２０度〜８０度、好ましくは３０度〜６０度である。尚、透過部２８の形状は、凹形状に限定されず、導光板２０の厚み方向に貫通した開口であってもよい。
【００２２】
導光板２０の両側部外方に沿ってランプ２２，２２がそれぞれ配され、また、このランプ２２と導光板２０の裏面を金属製の反射板２４が覆っている。但し、反射板２４は、透過部２８の位置には設けられておらず、それ以外の部分の導光板２０を覆っている。
【００２３】
導光板２０の表面には、光学シート２６が積層されている。この光学シート２６は、拡散板、プリズムシートとを積層したものである。
【００２４】
回転リール１６は、バックライト１４の裏面側であって、透過部２８の位置に設けられ、バックライト１４から若干の間隔を開けて配され、ここでは第２表示部として機能している。
【００２５】
（２）液晶表示装置の電気的構成
次に、図３のブロック図に基づいて、液晶表示装置１０の電気的構成を説明する。
【００２６】
液晶セル１２は、アレイ基板５０と、対向電極基板５２との間に光変調層である液晶層が配されている。
【００２７】
アレイ基板５０には、１２８０ｘ３本の信号線が配線され、９６０本の走査線５６が信号線５４と直交するように配線されている。この信号線５４と走査線５６との交点には、薄膜トランジスタ（以下、ＴＦＴという）５８が設けられ、信号線５４から供給される画像信号を走査線５６から供給されるゲート信号によってＴＦＴ５８をＯＮ状態にして、画素電極６０に書き込む。全ての信号線５４は、信号線駆動回路６２から画像信号が供給され、全ての走査線５６は走査線駆動回路６４からゲート信号が供給される。
【００２８】
制御回路６６は信号線駆動回路６２と走査線駆動回路６４を制御するものであり、信号線駆動回路６２には、外部から供給されたＲＧＢの画像信号、水平同期信号、制御信号を出力する。走査線駆動回路６４には、垂直同期信号と制御信号を出力している。
【００２９】
対向電極基板５２には、対向電圧回路６８から供給された所定の対向電圧を液晶層に印加している。この対向電圧回路６８は、制御回路６６からの切替え信号によって第１の対向電圧ＶＣＯＭ１と第２の対向電圧ＶＣＯＭ２を供給することができ、この第１の対向電圧ＶＣＯＭ１は第１対向電圧発生回路７０から供給されるものであり、第２の対向電圧ＶＣＯＭ２は第２対向電圧発生回路７２から供給されるものである。ここで、ＶＣＯＭ１＜ＶＣＯＭ２である。
【００３０】
制御回路６６には、スロット遊技機を制御する主制御部のメモリから供給されたＲＧＢのデジタル画像信号ＤＡＴＡと、同期信号ＣＬＫが入力する。
【００３１】
信号線駆動回路６２には、画像の輝度を決めるガンマ値を設定するためのガンマ設定回路７４が接続され、このガンマ設定回路７４から供給されたガンマ補正信号に基づいて、信号線駆動回路６２から各信号線に供給される画像信号のガンマ値を設定できる。
【００３２】
（３）液晶表示装置１０の画像の表示状態
上記構成の液晶表示装置１０の画像の表示状態について説明する。
【００３３】
液晶セル１２の表面側から見て、第２の表示部である回転リール１６は、透過部の位置から透けて認識することができる。
【００３４】
制御回路６６は、液晶表示装置１０に画像を表示する場合には、ランプ２２，２２からの光は導光板２０を通過する際に、反射板２４において表面側へ反射され、拡散板、プリズムシートを介して均一に液晶セル１２の裏面側から入射し、液晶セル１２を照明する。
【００３５】
また、スロット遊技機の主制御部から供給された画像信号ＤＡＴＡと同期信号ＣＬＫに基づいて、信号線駆動回路６２と走査線駆動回路６４を制御する。この場合に、制御回路６６は、対向電圧を一定電圧にし、フレーム毎に信号線駆動回路６２から供給される画像信号の電圧の極性を対向電圧に対して反転させ、フレーム反転駆動を行なっている。さらに、このフレーム反転駆動法に加えて、画素毎に順番に画像信号を供給して画像を表示させる点順次表示法も同時に行なっている。
【００３６】
回転リール１６が透けて見える位置である透過範囲において、画像を表示する場合には、対向電圧を他の部分と変化させている。すなわち、透過範囲以外では、制御回路６６からの切替え信号によって対向電圧回路６８はＶＣＯＭ２を供給し、透過範囲で画像を表示する場合にはＶＣＯＭ１を供給するように制御している。これによって、透過範囲における画像を表示するときだけ、表示輝度を上昇させることができる。そのため、従来のように透過範囲だけ薄暗く表示されることがない。
【００３７】
以上により、回転リール１６は、液晶セル１２の表示面側から見た場合に、この透過部２８の部分を通じて回転リール１６が透けて認識できるため、あたかも液晶セル１２の画像と回転リール１６とが同時に表示されたようにユーザには認識することができる。特に、液晶セル１２上の表示において、第２の表示部に対応する位置の表示がその他の位置と較べて表示状態が同等となるよう制御することにより、表示セル全面で均一な表示が可能となる。特に、第２の表示部に対応した位置にまたがる画像表示をした場合、連続した表示が可能となり、視認者に対し良好な表示状態を提供できる。
【００３８】
（第２の実施形態）
第２の実施形態の液晶表示装置１０について、図４に基づいて説明する。
【００３９】
第１の実施形態では透過範囲の部分だけ対向電圧を変化させたが、本実施形態では透過範囲の部分だけ画像信号のガンマ補正を行なうことによって表示輝度を上昇させるものである。
【００４０】
図４に示すように、ガンマ設定回路７４に代えて、セレクタ回路７６と、第１ガンマ設定回路７８と、第２ガンマ設定回路８０とが設けられている。第１ガンマ設定回路７８は、セレクタ回路７６に第１のガンマ補正信号を供給し、第２ガンマ設定回路８０は、セレクタ回路７６に第２のガンマ補正信号を供給する。第１ガンマ補正信号は、第２ガンマ補正信号よりも表示輝度を上昇させるようにガンマ補正を行なう信号であり、ガンマ値としては、２．２〜１／２．２で調整を行なう。なお、ガンマ補正とは、ガンマ特性を補正するものであり、ガンマ特性とは入力信号値と表示輝度の関係を示すものである。
【００４１】
この液晶表示装置１０において画像を表示する場合には、透過範囲においては、制御回路６６からの切替え信号によって、第１ガンマ設定回路７８からの第１ガンマ補正信号をセレクタ回路７６を通じて信号線駆動回路６２に供給し、透過範囲以外では第２ガンマ設定回路８０からの第２ガンマ補正信号を供給する。
【００４２】
このように透過範囲だけガンマ補正を行なって表示輝度を上昇させることにより、透過範囲が他の範囲よりも薄暗くなることがない。
【００４３】
（第３の実施形態）
第３の実施形態の液晶表示装置１０について、図５に基づいて説明する。
【００４４】
第２の実施形態では画像信号のガンマ補正を信号線駆動回路６２から出力する際に補正したが、本実施形態では外部にあるスロット遊技機の主制御部から供給されるデジタル画像信号ＤＡＴＡが制御回路６６に入力する前にガンマ補正を行なうものである。
【００４５】
図５に示すように、制御回路６６は、外部からの同期信号に合わせて、ガンマ調整回路８２に制御信号を出力し、ガンマ調整回路８２は外部から入力したデジタル画像信号をこの制御信号に合わせてガンマ補正を行なう。すなわち、透過範囲において表示される画像信号に対してガンマ補正を行ない表示輝度を明るく調整するものである。
【００４６】
本実施形態の液晶表示装置１０であっても、透過範囲における画像の表示輝度が上がり、従来のように透過範囲だけ他の部分より薄暗くなることがない。
【００４７】
（変更例）
本発明は上記各実施形態に限らず、その主旨を逸脱しない限り種々に変更することができる。
【００４８】
（１）変更例１
第２の実施形態及び第３の実施形態の液晶表示装置１０においては、画像を表示する駆動法として点順次表示法に限らず、１ライン毎に画像を書き込む方法であってもよい。
【００４９】
（２）変更例３
上記各実施形態では導光板２０に透過部２８を設けたが、これに代えて、透過開口部や透過凹部を設けず単なる板状の導光板を用い、回転リール１６が配されている範囲のみ、反射板を設けず、回転リール１６が透けて見えるようにしてもよい。
【産業上の利用可能性】
【００５０】
本発明の液晶表示装置は、スロット遊技機等の画像表示装置に好適である。
【図面の簡単な説明】
【００５１】
【図１】本発明の第１の実施形態を示す液晶表示装置の縦断面図である。
【図２】同じく液晶表示装置の平面図である。
【図３】同じく液晶表示装置のブロック図である。
【図４】第２の実施形態の液晶表示装置のブロック図である。
【図５】第３の実施形態の液晶表示装置のブロック図である。
【図６】従来の液晶表示装置の縦断面図である。
【図７】従来の液晶表示装置の平面図である。
【符号の説明】
【００５２】
１０  液晶表示装置
１６  回転リール
２０  導光板
２８  透過部
５０  アレイ基板
５２  対向電極
５４  信号線
５６  走査線
５８  ＴＦＴ
６０  画素電極
６２  信号線駆動回路
６４  走査線駆動回路
６６  制御回路
６８  対向電圧回路
７０  第１対向電圧発生回路
７２  第２対向電圧発生回路
７４  ガンマ設定回路
【図１】
2007079020.tif 000003
【図２】
2007079020.tif 000004
【図３】
2007079020.tif 000005
【図４】
2007079020.tif 000006
【図５】
2007079020.tif 000007
【図６】
2007079020.tif 000008
【図７】
2007079020.tif 000009